(57)【特許請求の範囲】
【請求項１】
基材となる半円状紙製シート(１)を、中心部に濾過用底部孔(１ａ)を開設すると共にその外周部に濾過用側面孔(１ｂ，１ｃ)を開設した半円状のものとし、当該紙製シート(１)の外面側に対して、上記濾過用底部孔(１ａ)と濾過用側面孔(１ｂ，１ｃ)を含めて全体的にポリエステル製濾過用メッシュシート(２)を重合張設することにより、当該半円状紙製シート(１)に対する補強性付与を図ると共に当該濾過用底部孔(１ａ)と濾過用側面孔(１ｂ，１ｃ)を覆うことに依りこれを濾過用孔として機能させるように構成し、更に、当該重合張設させた半円状紙製シート(１)を逆円錐形状に巻くと共にその両側縁を合致接合(３)することにより内面全体を紙製面とするフイルターを形成するように構成した使い捨てフイルター。
【発明の詳細な説明】
【０００１】
【産業上の利用分野】
本発明は、所要の液体を濾過するための逆円錐形状を呈するフイルターに関し、主として使い捨て用としての利用に供するものである。
【０００２】
【従来の技術】
従来の使い捨て用フイルターは、多くはその全体を合成樹脂材料に依り一体成形するものであった。
【０００３】
【発明が解決しようとする課題】
上述したような従来のフイルターであると、使い捨て用としては製造コストが掛かり過ぎるばかりでなく、全体をメッシュ材で形成した場合、腰が弱く補強性に難点が生じることを余儀なくされた。
【０００４】
本発明は、上記のような問題を解決した新規のフイルターを提供するものである。
【０００５】
【課題を解決するための手段】
本発明は、基材となる半円状紙製シート１を、中心部に濾過用底部孔１ａを開設すると共にその外周部に濾過用側面孔１ｂ，１ｃを開設した半円状のものとし、当該紙製シート１の外面側に対して、上記濾過用底部孔１ａと濾過用側面孔１ｂ，１ｃを含めて全体的にポリエステル製濾過用メッシュシート２を重合張設することにより、当該半円状紙製シート１に対する補強性付与を図ると共に当該濾過用底部孔１ａと濾過用側面孔１ｂ，１ｃを覆うことに依りこれを濾過用孔として機能させるように構成し、更に、当該重合張設させた半円状紙製シート１を逆円錐形状に巻くと共にその両側縁を合致接合３することにより内面全体を紙製面とするフイルターを形成するように構成したことを特徴とする使い捨てフイルターに係るものである。
【０００６】
すなわち、本発明に係る使い捨てフィルターは、紙製シート１とこれの外面側全体に濾過用メッシュシート２を重合張り着して成る半円状シート素材Ａを逆円錐形状に巻回接合して形成したものである。
【０００７】
また、本発明に係る使い捨てフィルターは、紙製シート１の下端に濾過用底部孔１ａを設けると共に、その上方に濾過用側面孔１ｂ，１ｃを形成し、当該濾過用底部孔１ａと濾過用側面孔１ｂ，１ｃの隣接部分には、補強用円弧状リブ片１ｄと、これに下端において連なる補強用縦リブ片１ｅを形成し、上記濾過用底部孔１ａと濾過用側面孔１ｂ，１ｃはその外面側から前記メッシュシート２で覆われるように構成する。
【０００８】
本発明は、上記のような構成に基づき、従来の問題を解決したものである。
【０００９】
【作用】
本発明に係るフイルターは、その内部に所要の濾過対象液を流し込めば、濾過用底部孔１ａと濾過用側面孔１ｂ，１ｃから、ポリエステル製濾過用メッシュシート２を透して濾過済み液が取り出され、濾過目的が達成される。
【００１０】
【実施例】
本発明に係るフイルターは下記のように構成されている。  基材となる半円状紙製シート１として、円弧の中心部に濾過用底部孔１ａを開設すると共に、その外周部に濾過用側面孔１ｂ，１ｃを開設した半円状のものを用いる。
そして、当該紙製シート１の外面に位置する面に濾過用メッシュシート２を張設する。  当該メッシュシート２の張設に基づき、前記濾過用底部孔１ａと濾過用側面孔１ｂ，１ｃに対する外面側から覆うことに依りこれを濾過用孔として機能させる。
然る後、当該紙製シート１を逆円錐形状に巻くと共に、その両側縁を合致接合３することに依って使い捨てフイルターが形成される。
上記した濾過用メッシュシート２はポリエステル製のものとすることにより、これの張設に基づき、紙製シート１に対する補強目的が達成される。  そして、当該濾過用メッシュシート２の張設を紙製シート１の外面側において張設することにより、当該紙製シート１の内面はその紙材特有の円滑性が阻害されないように構成してある。
【００１１】
図１は本発明に係る使い捨てフィルターの一実施例を表した斜視図である。  同フイルターは図３及び図４に示すような半円状シート素材Ａを逆円錐形状に巻くと共に、その両側縁を合致接合することによって完成化されるものである。
【００１２】
削除
【００１３】
上記した半円状を呈する紙製シート１は、円弧の中心部に濾過用底部孔１ａを開設すると共に、その外周部に濾過用側面孔１ｂ，１ｃを開設してある。  そして、当該濾過用底部孔１ａと濾過用側面孔１ｂ，１ｃの隣接部分には、補強用円弧状リブ片１ｄを介在させてある。  更に、両濾過用側面孔１ｂ，１ｃの互いの隣接部分には、下端が上記補強用円弧状リブ片１ｄに連なる補強用縦リブ片１ｅが形成されている。
【００１４】
そして、前記したポリエステル製濾過用メッシュシート２の存在は、上記した濾過用底部孔１ａと濾過用側面孔１ｂ，１ｃを外面側から覆い、これに依り、濾過用底部孔１ａと濾過用側面孔１ｂ，１ｃは当該メッシュシート２の存在に基づき濾過用孔として機能することとなる。
【００１５】
図３及び図４に示す状態において、半円状シート素材Ａを、その濾過用メッシュシート２側を外面とするようにして円錐状に巻くと共に、その両側縁を重ね合わせて合致接着３すれば、図１に示すようにフイルターが形成される。
【００１６】
そして、形成されたフィルターは、紙製シート１とこれの外面側にポリエステル製濾過用メッシュシート２を重合張り着して成る半円状シート素材Ａで逆円錐形状に形成され、その下端に濾過用底部孔１ａを設けると共に、その上方に濾過用側面孔１ｂ，１ｃを形成し、当該濾過用底部孔１ａと濾過用側面孔１ｂ，１ｃの隣接部分には、補強用円弧状リブ片１ｄと、これに下端において連なる補強用縦リブ片１ｅを形成し、上記濾過用底部孔１ａと濾過用側面孔１ｂ，１ｃはその外面側から前記メッシュシート２で覆われた構成を具えたものとされる。
【００１７】
本発明に係るフイルターは、その内部に所要の濾過対象液を流し込めば、濾過用底部孔１ａと濾過用側面孔１ｂ，１ｃから、ポリエステル製濾過用メッシュシート２を透して濾過済み液が取り出され、濾過目的が達成される。
【００１８】
【発明の効果】
本発明は、基材となる半円状紙製シート１を、中心部に濾過用底部孔１ａを開設すると共にその外周部に濾過用側面孔１ｂ，１ｃを開設した半円状のものとし、当該紙製シート１の外面側に対して、上記濾過用底部孔１ａと濾過用側面孔１ｂ，１ｃを含めて全体的にポリエステル製濾過用メッシュシート２を重合張設することにより、当該半円状紙製シート１に対する補強性付与を図ると共に当該濾過用底部孔１ａと濾過用側面孔１ｂ，１ｃを覆うことに依りこれを濾過用孔として機能させるように構成し、更に、当該重合張設させた半円状紙製シート１を逆円錐形状に巻くと共にその両側縁を合致接合３することにより内面を紙製面とするフイルターを形成するようにしたから、低コストでのフイルターの提供が可能化される。  すなわち、紙材を主材とすることに依り、フイルターの製造コストが著しく廉価化されると同時に、これの巻回の容易性から製造作業の簡易化が図られる。
【００１９】
更に本発明は、紙製シート１の外面側に対してポリエステル製メッシュシート２を、部分的ではなく全体的に重合張着することに依り、当該紙製シート１に対する補強目的が図られる。  すなわち、例えば、濾過用底部孔１ａと濾過用側面孔１ｂ，１ｃ部分にだけ局部的にメッシュシートを張り着した場合に比して、フイルター自体の全体的強度の向上化が図られると同時に、製造作業においても、ポリエステル製メッシュシート２を紙製シート１に対して、一括的張り着で事足りるため、これを各孔毎に別々に行うようにした場合に比して、作業の簡易化及び迅速化が図られる。
【００２０】
そして、本発明は、紙製シート１とこれの外面側にポリエステル製濾過用メッシュシート２を重合張り着して成る半円状シート素材Ａを、逆円錐形状に巻くと共にその両側縁を合致接合３することによ依り内面全体を紙製面とするように構成したから、濾過に際する液体のフイルター内面に対する流動性が良化される。
【００２１】
何故ならば、紙製シート１の内面側を、本発明のように外面側ではなく内面側に濾過用メッシュシートを重合張り着したと仮定した場合、当該メッシュシートの存在は、そのざらつき性に基づき、内蔵濾過対象液のフィルター壁面に対する流動的抵抗を生じさせ、その液流動を阻害することとなる。  本発明は上記のように、紙製シート１の外面全体に濾過用メッシュシート２を重合張り着するように構成したから、その内面全体は紙製面とされ、その円滑性に基づきこのような問題発生を良く回避する。
【００２２】
更に、紙製シート１の外面側全体に濾過用メッシュシート２を重合張り着するように構成したから、当該濾過用メッシュシートがポリエステル製であることに基づき、これの固有する強靱性から紙製シート１に対する良好なる補強性が図られる。  すなわち、ポリエステル製濾過用メッシュシート２は濾過目的の達成と同時に、紙製シート１に対する全面的なる重合張り着に基づき紙製シート１の強靱性付与が図られ、濾過対象とする注入液体の圧力に基づく変形というような事態発生が解消される。  同時に、紙製シート１とポリエステル製濾過用メッシュシート２とは全面的に重合させた形態としてあるから、例えば濾過用孔部分は予め開設しておいた多数の紙製シート裁断用ロール状紙材に対して、予めメッシュシート材を重合させた二枚合わせの資材を準備しておき、これから所要個数の紙製シート１を一括して裁断するというような作業工程を取ることが出来、これにより、製造コストの廉価化と製造作業の著しい迅速化を図ることが出来る。  このような事柄は、メッシュシートを濾過用孔部分に限定して局部的に張り着するような構成においては実施不可能とする製造手段を、本発明においては採用可能とする。
【００２３】  削除
【図面の簡単な説明】
【図１】  本発明に係るフィルター全体を表した斜視図である。
【図２】  本発明に係るフィルターの平面図である。
【図３】  本発明に係るフイルターを形成するための半円状シート素材の内面がわを表した平面図である。
【図４】  本発明に係るフイルターを形成するための半円状シート素材の外面がわを表した平面図である。
【符号の説明】
Ａ  半円状シート素材
１  半円状紙製シート
1a  濾過用底部孔
1b  濾過用側面孔
1c  濾過用側面孔
1d  補強用円弧状リブ片
1e  補強用縦リブ片
２  ポリエステル製濾過用メッシュシート
３  合致接着部
【図１】
0003854037.tif 000002
【図２】
0003854037.tif 000003
【図３】
0003854037.tif 000004
【図４】
0003854037.tif 000005